(57)【特許請求の範囲】
【請求項１】
無線通信ネットワークのセルを管理するアクセスポイントと、前記セル内の前記アクセスポイントにアタッチされた複数のモバイル端末との間のＫ個の個々の送信を行うための方法であって、前記Ｋ個の個々の送信は、フレーム期間単位で候補時間および周波数リソースの所定の組の中からの時間および周波数リソースを介して実行され、各時間および周波数リソースは、所定の時間リソースにわたって使用可能な所定の周波数リソースであり、検討されるフレーム期間内のＫ個の個々の送信の各々に１つの時間および周波数リソースが割り当てられる、方法において、前記アクセスポイントは、
前記検討されるフレーム期間において、いずれの周波数リソースが、前記Ｋ個の個々の送信のうちの各々に割り当てられるかを示す第１の周波数割り当て記述子Ｆを得ることと、
前記検討されるフレーム期間において前記Ｋ個の個々の送信を実行するために、各候補周波数リソースが何回用いられるかを示す周波数発生記述子Ｇを得ることと、
前記セルにおいて前記周波数発生記述子Ｇをシグナリングすることと、
前記第１の周波数割り当て記述子Ｆおよび所定の周波数シーケンシング規則に従って、前記Ｋ個の個々の送信のためのデータの送信を可能にすることであって、前記所定の周波数シーケンシング規則は、前記フレーム期間内の前記周波数発生記述子Ｇに鑑みて、いずれの順序で前記候補周波数リソースが検討されるかを示すことと
を実行し、
前記アクセスポイントは、該アクセスポイントにアタッチされた前記モバイル端末が、前記検討されるフレーム期間内のいずれの時間リソースが、前記Ｋ個の個々の送信の各々に関連付けられるかを判断することを可能にするインジケーションをさらに提供する
ことを特徴とする、方法。
【請求項２】
前記周波数発生記述子Ｇは、Ｌ個の要素Ｇ（ｊ）で構成され、該Ｌ個の要素は、該要素が前記検討されるフレーム期間において参照する前記周波数リソースの発生量Ｇ（ｊ）．Ｎｂを特定する情報を含み、ｊは、インデックスであり、Ｌは、前記検討されるフレーム期間内の候補周波数リソースの量であり、前記周波数発生記述子Ｇのシグナリングは、差分ビットマッピングに従って実行され、該差分ビットマッピングにおいて、インデックスｊによって特定される各周波数リソースの発生量は、１の値を有する連続ビットの量Ｇ（ｊ）．Ｎｂによって表され、インデックスｊによって特定される１つの周波数リソースの発生の表現が、インデックスｊ＋１によって特定される後続の周波数リソースのための発生の表現と、別の値を有するビットによって分離されている
ことを特徴とする、請求項１に記載の方法。
【請求項３】
前記アクセスポイントは、前記検討されるフレーム期間において、いずれの周波数リソースが前記Ｋ個の個々の送信の各々に割り当てられるかを示す前記第１の周波数割り当て記述子Ｆから前記周波数発生記述子Ｇを決定する
ことを特徴とする、請求項１または２に記載の方法。
【請求項４】
前記アクセスポイントは、前記周波数発生記述子Ｇに鑑みて、かつ、各フレーム期間内の前記周波数シーケンシング規則に鑑みて、いずれの順序で時間リソースが検討されるかを定義する所定の送信割り当て規則にさらに従って、前記Ｋ個の個々の送信のためのデータを送信する
ことを特徴とする、請求項１から３のいずれか１項に記載の方法。
【請求項５】
前記周波数発生記述子Ｇに鑑みて、かつ、各フレーム期間内の前記周波数シーケンシング規則に鑑みて、前記時間リソースが検討される順序は、前記セルについてランダムに定義され、前記アクセスポイントは、結果として得られる送信割り当て規則を表す情報を、該アクセスポイントにアタッチされた前記モバイル端末に提供する
ことを特徴とする、請求項４に記載の方法。
【請求項６】
前記アクセスポイントは、他のそれぞれのセルを管理する他のアクセスポイントにさらに接続されたサーバーに接続され、前記サーバーは、１つの前記セルのための送信割り当て規則を定義し、前記順序を循環シフトすることによって、前記時間リソースは、各他の前記セル内で検討され、前記サーバーは、結果として得られる送信割り当て規則を表す情報を前記それぞれのアクセスポイントに提供し、前記アクセスポイントは、前記情報を該アクセスポイントにアタッチされた前記モバイル端末に提供する
ことを特徴とする、請求項４に記載の方法。
【請求項７】
前記モバイル端末が、前記検討されるフレーム期間内のいずれの時間リソースが前記Ｋ個の個々の送信の各々に関連付けられるかを判断することを可能にする前記インジケーションを提供するために、前記検討されるフレーム期間がダウンリンク通信に専用であることを考慮して、前記アクセスポイントは、前記Ｋ個の個々の送信の各々について送信される前記データ内に、前記個々の送信を表す識別子を含める
ことを特徴とする、請求項１から６のいずれか１項に記載の方法。
【請求項８】
前記Ｋ個の個々の送信が、所定の方式でダウンリンク通信とアップリンク通信との間のフレーム期間にわたって交互に行われることを考慮して、前記アクセスポイントは、前記検討されるフレーム期間の前記Ｋ個の個々の送信の各々について送信される前記データ内に、後続のフレーム期間において前記個々の送信のアップリンク通信に用いられる時間リソースを表す識別子を含める
ことを特徴とする、請求項７に記載の方法。
【請求項９】
前記モバイル端末が、前記検討されるフレーム期間におけるいずれの時間リソースが、前記Ｋ個の個々の送信の各々に関連付けられるかを判断することを可能にする前記インジケーションを提供するために、前記アクセスポイントは、
前記セルにおいて、前記検討されるフレーム期間の時間リソースごとに、前記時間リソースがダウンリンク通信のために用いられることを意図されているか、またはアップリンク通信に用いられることを意図されているかを、前記時間リソースが割り当てられる前記個々の送信を表す識別子に関連付けてシグナリングすること  を実行することを特徴とする、請求項１から６のいずれか１項に記載の方法。
【請求項１０】
前記モバイル端末が、前記検討されるフレーム期間内のいずれの時間リソースが前記Ｋ個の個々の送信の各々に関連付けられているかを判断することを可能にする前記インジケーションを提供するために、前記Ｋ個の個々の送信が、フレーム期間にわたって所定の方式でダウンリンク通信とアップリンク通信との間で交互に行われることを考慮して、前記アクセスポイントは、
前記セルにおいて、前記検討されるフレーム期間の時間リソースごとに、前記時間リソースが割り当てられる前記個々の送信を表す識別子をシグナリングすること
を実行することを特徴とする、請求項１から６のいずれか１項に記載の方法。
【請求項１１】
無線通信ネットワークのセルを管理するアクセスポイントから、前記セル内の前記アクセスポイントにアタッチされた複数のモバイル端末へのＫ個の個々の送信の中の１つの送信のデータを受信する方法であって、前記Ｋ個の個々の送信は、フレーム期間単位で候補時間および周波数リソースの所定の組の中からの時間および周波数リソースを介して実行され、各時間および周波数リソースは、所定の時間リソースにわたって使用可能な所定の周波数リソースであり、検討されるフレーム期間内の前記Ｋ個の個々の送信の各々に１つの時間および周波数リソースが割り当てられる、方法において、前記アクセスポイントにアタッチされたモバイル端末は、
シグナリングを介して、前記検討されるフレーム期間において前記Ｋ個の個々の送信を実行するために、各候補周波数リソースが何回用いられるかを示す周波数発生記述子Ｇを受信することと、
前記受信した周波数発生記述子Ｇからおよび所定の周波数シーケンシング規則から、前記検討されるフレーム期間のシーケンス内の各時間リソースにいずれの周波数リソースが割り当てられたかを記述する第２の周波数割り当て記述子Ｆ’を決定することであって、前記所定の周波数シーケンシング規則は、前記フレーム期間内の前記周波数発生記述子Ｇに鑑みて、前記候補周波数リソースがいずれの順序で検討されるかを示すことと、
前記アクセスポイントから、該アクセスポイントにアタッチされた前記モバイル端末が、前記検討されるフレーム期間内のいずれの時間リソースが、前記Ｋ個の個々の送信の各々に関連付けられているかを判断することを可能にするインジケーションを得ることと、
前記第２の周波数割り当て記述子Ｆ’に従って、かつ、前記得られたインジケーションにさらに従って、前記Ｋ個の個々の送信の中でデータを受信することと
を実行することを特徴とする、方法。
【請求項１２】
前記モバイル端末は、前記周波数発生記述子Ｇに鑑みて、かつ、各フレーム期間内の前記周波数シーケンシング規則に鑑みて、いずれの順序で前記時間リソースが検討されるかを定義する所定の送信割り当て規則にさらに従って、前記第２の周波数割り当て記述子Ｆ’を決定する
ことを特徴とする、請求項１１に記載の方法。
【請求項１３】
無線通信ネットワークのセルを管理するアクセスポイントから、前記セル内の前記アクセスポイントにアタッチされた複数のモバイル端末へのＫ個の個々の送信を実行する方法であって、前記アクセスポイントは、請求項１から１０のいずれか１項に記載の方法を実行し、該アクセスポイントにアタッチされた各モバイル端末は、請求項１１または１２に記載の方法を実行する
ことを特徴とする、方法。
【請求項１４】
アクセスポイントであって、無線通信ネットワークのセルを管理するように意図された該アクセスポイントと、前記セル内の該アクセスポイントにアタッチされるように意図された複数のモバイル端末との間のＫ個の個々の送信を行うように適合され、前記Ｋ個の個々の送信は、フレーム期間単位で候補時間および周波数リソースの所定の組の中からの時間および周波数リソースを介して実行されるように意図され、各時間および周波数リソースは、所定の時間リソースにわたって使用可能な所定の周波数リソースであり、検討されるフレーム期間内の前記Ｋ個の個々の送信の各々に１つの時間および周波数リソースが割り当てられるように意図される、アクセスポイントにおいて、該アクセスポイントは、
前記検討されるフレーム期間において、いずれの周波数リソースが、前記Ｋ個の個々の送信のうちの各々に割り当てられるかを示す第１の周波数割り当て記述子Ｆを得る手段と、
前記検討されるフレーム期間において前記Ｋ個の個々の送信を実行するために、各候補周波数リソースが何回用いられるかを示す周波数発生記述子Ｇを得る手段と、
前記セルにおいて前記周波数発生記述子Ｇをシグナリングする手段と、
前記第１の周波数割り当て記述子Ｆおよび所定の周波数シーケンシング規則に従って、前記Ｋ個の個々の送信のためのデータの送信を可能にする手段であって、前記所定の周波数シーケンシング規則は、前記フレーム期間内の前記周波数発生記述子Ｇに鑑みて、いずれの順序で前記候補周波数リソースが検討されるべきかを示す手段と
を備え、
該アクセスポイントは、該アクセスポイントにアタッチされた前記モバイル端末が、前記検討されるフレーム期間内のいずれの時間リソースが、前記Ｋ個の個々の送信の各々に関連付けられるかを判断することを可能にするインジケーションを提供する手段をさらに備える
ことを特徴とする、アクセスポイント。
【請求項１５】
モバイル端末であって、無線通信ネットワークのセルを管理するアクセスポイントから、前記セル内の前記アクセスポイントにアタッチされるように意図された複数のモバイル端末へのＫ個の個々の送信の中の１つの送信のデータを受信するように適合され、前記Ｋ個の個々の送信は、フレーム期間単位で候補時間および周波数リソースの所定の組の中からの時間および周波数リソースを介して実行されるように意図され、各時間および周波数リソースは、所定の時間リソースにわたって使用可能な所定の周波数リソースであり、検討されるフレーム期間内の前記Ｋ個の個々の送信の各々に１つの時間および周波数リソースが割り当てられるように意図される、モバイル端末において、前記アクセスポイントにアタッチされるように意図される該モバイル端末は、
シグナリングを介して、前記検討されるフレーム期間において前記Ｋ個の個々の送信を実行するために、各候補周波数リソースが何回用いられるかを示す周波数発生記述子Ｇを受信する手段と、
前記受信した周波数発生記述子Ｇから、および所定の周波数シーケンシング規則から、前記検討されるフレーム期間のシーケンス内の各時間リソースにいずれの周波数リソースが割り当てられたかを記述する第２の周波数割り当て記述子Ｆ’を決定する手段であって、前記所定の周波数シーケンシング規則は、前記フレーム期間内の前記周波数発生記述子Ｇに鑑みて、前記候補周波数リソースがいずれの順序で検討されるかを示す手段と、
前記アクセスポイントから、該アクセスポイントにアタッチされた前記モバイル端末が、前記検討されるフレーム期間内のいずれの時間リソースが、前記Ｋ個の個々の送信の各々に関連付けられているかを判断することを可能にするインジケーションを得る手段と、
前記第２の周波数割り当て記述子Ｆ’に従って、かつ前記得られたインジケーションにさらに従って、前記Ｋ個の個々の送信のためのデータを受信する手段と
を備えることを特徴とする、モバイル端末。
【請求項１６】
無線通信ネットワークのセルを管理するアクセスポイントから、前記セル内の前記アクセスポイントにアタッチされた複数のモバイル端末へのＫ個の個々の送信を実行するシステムであって、請求項１４に記載の少なくとも１つのアクセスポイントおよび請求項１５に記載の複数のモバイル端末を備えることを特徴とする、システム。
【発明の詳細な説明】
【技術分野】
【０００１】
本発明は、包括的には、アクセスポイントから複数のモバイル端末へのＫ個の個々の送信を行うために無線通信ネットワーク内で用いられる時間および周波数リソースをシグナリングすることに関する。
【背景技術】
【０００２】
無線通信ネットワーク内で送信を行うために、無線通信ネットワークのリソースは、リソース使用の協調を担当する無線通信ネットワークのデバイスによって割り当てられる必要がある。
【０００３】
時間および周波数リソースは、通常、上記の送信を行うことを可能にするために用いられる。時間は、まず、複数のフレーム期間に分割され、これらのフレーム期間において、フレームがそれぞれ所定のフォーマットに従って送信される。各フレーム期間は、等しいサイズのタイムスロットを含み、これにより、時間リソースを定義する。複数の周波数または周波数帯域が送信の実行に利用可能であり、これにより、周波数リソースを定義する。このとき、単一のフレームの別個のフィールドは、別個の周波数リソースに依拠することができる。
【０００４】
１つのそのようなタイムスロット中の１つのそのような周波数または周波数帯域の使用は、１つの時間および周波数リソースを定義する。時間および周波数リソースは、通常、グリッドを用いて表され、ここで、周波数リソースは、１つの軸において表され、時間リソースは、別の軸において表される。
【発明の概要】
【発明が解決しようとする課題】
【０００５】
時間および周波数リソースの割り当ては、通常、無線通信ネットワークの各デバイスが、いずれの時間および周波数リソースを介して送信が効率的に行われることが予期されるかを判断することが可能になるように、無線通信ネットワーク内でシグナリングされる。多くの状況下で、シグナリングを担当するメカニズムは、能力が限られている。これは、主として、シグナリングが、上述したグリッドによって可能にされる全ての時間および周波数リソースのシーケンスの中から任意の時間および周波数リソースのシーケンスを表すことを実際に可能にする、サイズが限られたフレームフィールドにおいて示されることに関係する。例えば、２０個の時間リソースおよび１６個の周波数リソースのグリッドを検討し、時間リソースあたり１つの送信が行われることをさらに検討すると、グリッドによって可能にされる全ての時間および周波数リソースシーケンスの中から、任意の時間および周波数リソースのシーケンスを表すことが可能になるには、８０ビット（全ての可能な周波数リソースの中から、任意の周波数リソースを表すために、時間リソースあたり４ビット）が必要とされる。したがって、シグナリングに専用のフレームフィールドが、必要な８０ビットよりも厳密に小さいサイズを有するとき、グリッドによって可能にされる時間および周波数リソースシーケンスのサブセットしかシグナリングすることができない。より一般的な手法では、無線通信ネットワーク内で送信されるシグナリングデータ量を低減する試みが有利である。
【課題を解決するための手段】
【０００６】
この目的のために、本発明は、無線通信ネットワークのセルを管理するアクセスポイントと、上記セル内の上記アクセスポイントにアタッチされた複数のモバイル端末との間のＫ個の個々の送信を行うための方法であって、Ｋ個の個々の送信は、フレーム期間単位で候補時間および周波数リソースの所定の組の中からの時間および周波数リソースを介して実行され、各時間および周波数リソースは、所定の時間リソースにわたって使用可能な所定の周波数リソースであり、検討されるフレーム期間内のＫ個の個々の送信の各々に１つの時間および周波数リソースが割り当てられる、方法に関する。本方法は、アクセスポイントが、検討されるフレーム期間において、いずれの周波数リソースが、Ｋ個の個々の送信のうちの各々に割り当てられるかを示す第１の周波数割り当て記述子Ｆを得ることと、検討されるフレーム期間においてＫ個の個々の送信を実行するために、各候補周波数リソースが何回用いられるかを示す周波数発生記述子Ｇを得ることと、上記セルにおいて周波数発生記述子Ｇをシグナリングすることと、第１の周波数割り当て記述子Ｆおよび所定の周波数シーケンシング規則に従って、Ｋ個の個々の送信のためのデータの送信を可能にすることであって、所定の周波数シーケンシング規則は、フレーム期間内の周波数発生記述子Ｇに鑑みて、いずれの順序で候補周波数リソースが検討されるかを示すこととを実行し、アクセスポイントは、アクセスポイントにアタッチされたモバイル端末が、検討されるフレーム期間内のいずれの時間リソースが、Ｋ個の個々の送信の各々に関連付けられるかを判断することを可能にするインジケーションをさらに提供するようになっている。このため、第１の周波数割り当て記述子Ｆの代わりに周波数発生記述子Ｇをシグナリングすることによって、ｅｘｐ（１）＜Ｌ＜Ｎのときにシグナリングオーバーヘッドが低減される。ここで、Ｌは、検討されるフレーム期間における候補周波数リソースの量である。
【０００７】
特定の特徴によれば、周波数発生記述子Ｇは、Ｌ個の要素Ｇ（ｊ）で構成され、Ｌ個の要素Ｇ（ｊ）は、検討されるフレーム期間において当該要素が参照する周波数リソースの発生の量Ｇ（ｊ）．Ｎｂを特定する情報を含み、ｊは、インデックスであり、周波数発生記述子Ｇのシグナリングは、差分ビットマッピングに従って実行される。差分ビットマッピングでは、インデックスｊによって特定される各周波数リソースの発生量が、１の値を有する連続ビットの量Ｇ（ｊ）．Ｎｂによって表され、インデックスｊによって特定される１つの周波数リソースのための発生の表現が、インデックスｊ＋１によって特定される後続の周波数リソースのための発生の表現と、別の値を有するビットによって分離される。このため、シグナリングオーバーヘッドがさらに低減される。
【０００８】
特定の特徴によれば、アクセスポイントは、検討されるフレーム期間において、いずれの周波数リソースがＫ個の個々の送信の各々に割り当てられるかを示す第１の周波数割り当て記述子Ｆから周波数発生記述子Ｇを決定する。
【０００９】
特定の特徴によれば、アクセスポイントは、周波数発生記述子Ｇに鑑みて、かつ、各フレーム期間内の周波数シーケンシング規則に鑑みて、いずれの順序で時間リソースが検討されるかを定義する所定の送信割り当て規則にさらに従って、Ｋ個の個々の送信のためのデータを送信する。このため、送信割り当て規則は、インターリーブを達成し、したがって、送信ダイバーシティを提供し、隣接するセルとの干渉を制限することを可能にする。
【００１０】
特定の特徴によれば、周波数発生記述子Ｇに鑑みて、かつ、各フレーム期間内の周波数シーケンシング規則に鑑みて時間リソースが検討される順序は、上記セルについてランダムに定義され、アクセスポイントは、結果として得られる送信割り当て規則を表す情報を、アクセスポイントにアタッチされたモバイル端末に提供する。このため、送信割り当て規則を定義することは、単純であり、隣接するセルとの干渉が制限される。
【００１１】
特定の特徴によれば、アクセスポイントは、他のそれぞれのセルを管理する他のアクセスポイントにさらに接続されたサーバーに接続され、サーバーは、１つの上記セルのためのそのような送信割り当て規則を定義し、順序を循環シフトすることによって、時間リソースは、各他の上記セル内で検討され、サーバーは、結果として得られる送信割り当て規則を表す情報をそれぞれのアクセスポイントに提供し、アクセスポイントは、上記情報をアクセスポイントにアタッチされたモバイル端末に提供する。このため、隣接するセル間の干渉がさらに制限される。
【００１２】
特定の特徴によれば、モバイル端末が、検討されるフレーム期間内のいずれの時間リソースがＫ個の個々の送信の各々に関連付けられるかを判断することを可能にするインジケーションを提供するために、検討されるフレーム期間がダウンリンク通信に専用であることを考慮して、アクセスポイントは、Ｋ個の個々の送信の各々について送信されるデータ内に、上記個々の送信を表す識別子を含める。このため、上記識別子に関する情報の送信のオーバーヘッドは、各個々の送信のデータにのみ影響を与え、システム全体には影響を与えない。
【００１３】
特定の特徴によれば、Ｋ個の個々の送信が、所定の方式でダウンリンク通信とアップリンク通信との間のフレーム期間にわたって交互に行われることを考慮して、アクセスポイントは、上記検討されるフレーム期間のＫ個の個々の送信の各々について送信されるデータ内に、後続のフレーム期間において上記個々の送信のアップリンク通信に用いられる時間リソースを表す識別子を含める。このため、アップリンク送信のための時間および周波数リソース割り当ては、柔軟性がある。
【００１４】
特定の特徴によれば、モバイル端末が、検討されるフレーム期間におけるいずれの時間リソースが、Ｋ個の個々の送信の各々に関連付けられるかを判断することを可能にするインジケーションを提供するために、アクセスポイントは、上記セルにおいて、検討されるフレーム期間の時間リソースごとに、上記時間リソースがダウンリンク通信のために用いられることを意図されているか、または、アップリンク通信に用いられることを意図されているかを、上記時間リソースが割り当てられる個々の送信を表す識別子に関連付けてシグナリングすることを実行する。このため、時間および周波数リソース割り当ては、柔軟性がある。
【００１５】
特定の特徴によれば、モバイル端末が、検討されるフレーム期間内のいずれの時間リソースがＫ個の個々の送信の各々に関連付けられているかを判断することを可能にするインジケーションを提供するために、Ｋ個の個々の送信が、フレーム期間にわたって所定の方式でダウンリンク通信とアップリンク通信との間で交互に行われることを考慮して、アクセスポイントは、上記セルにおいて、検討されるフレーム期間の時間リソースごとに、上記時間リソースが割り当てられる個々の送信を表す識別子をシグナリングすることを実行する。このため、時間および周波数リソース割り当ては、柔軟性がある。
【００１６】
本発明は、また、無線通信ネットワークのセルを管理するアクセスポイントから、上記セル内の上記アクセスポイントにアタッチされた複数のモバイル端末へのＫ個の個々の送信の中の１つの送信のデータを受信する方法であって、Ｋ個の個々の送信は、フレーム期間単位で候補時間および周波数リソースの所定の組の中からの時間および周波数リソースを介して実行され、各時間および周波数リソースは、所定の時間リソースにわたって使用可能な所定の周波数リソースであり、検討されるフレーム期間内のＫ個の個々の送信の各々に１つの時間および周波数リソースが割り当てられる、方法に関する。本方法は、アクセスポイントにアタッチされたモバイル端末が、シグナリングを介して、検討されるフレーム期間においてＫ個の個々の送信を実行するために、各候補周波数リソースが何回用いられるかを示す周波数発生記述子Ｇを受信することと、受信した周波数発生記述子Ｇからおよび所定の周波数シーケンシング規則から、検討されるフレーム期間のシーケンス内の各時間リソースにいずれの周波数リソースが割り当てられたかを記述する第２の周波数割り当て記述子Ｆ’を決定することであって、所定の周波数シーケンシング規則は、フレーム期間内の周波数発生記述子Ｇに鑑みて、候補周波数リソースがいずれの順序で検討されるかを示すことと、アクセスポイントから、当該アクセスポイントにアタッチされたモバイル端末が、検討されるフレーム期間内のいずれの時間リソースが、Ｋ個の個々の送信の各々に関連付けられているかを判断することを可能にするインジケーションを得ることと、第２の周波数割り当て記述子Ｆ’に従って、かつ、得られたインジケーションにさらに従って、Ｋ個の個々の送信の中でデータを受信することとを実行するようになっている。このため、ｅｘｐ（１）＜Ｌ＜Ｎのときにシグナリングオーバーヘッドが低減される。ここで、Ｌは、検討されるフレーム期間内の候補周波数リソースの量であり、モバイル端末は、上記データを受信することができる。
【００１７】
特定の特徴によれば、モバイル端末は、周波数発生記述子Ｇに鑑みて、かつ、各フレーム期間内の周波数シーケンシング規則に鑑みて、いずれの順序で時間リソースが検討されるかを定義する所定の送信割り当て規則にさらに従って、第２の周波数割り当て記述子Ｆ’を決定する。このため、送信割り当て規則は、インターリーブを達成し、したがって、送信ダイバーシティを提供し、隣接するセルとの干渉を制限することを可能にする。
【００１８】
本発明は、また、無線通信ネットワークのセルを管理するアクセスポイントから、上記セル内の上記アクセスポイントにアタッチされた複数のモバイル端末へのＫ個の個々の送信を行う方法に関する。アクセスポイントおよび各モバイル端末は、上述したように動作する。
【００１９】
本発明は、また、アクセスポイントであって、無線通信ネットワークのセルを管理するように意図されたアクセスポイントと、セル内のアクセスポイントにアタッチされるように意図された複数のモバイル端末との間のＫ個の個々の送信を行うように適合され、Ｋ個の個々の送信は、フレーム期間単位で候補時間および周波数リソースの所定の組の中からの時間および周波数リソースを介して実行されるように意図され、各時間および周波数リソースは、所定の時間リソースにわたって使用可能な所定の周波数リソースであり、検討されるフレーム期間内のＫ個の個々の送信の各々に１つの時間および周波数リソースが割り当てられるように意図される、アクセスポイントに関する。アクセスポイントは、検討されるフレーム期間において、いずれの周波数リソースが、Ｋ個の個々の送信のうちの各々に割り当てられるかを示す第１の周波数割り当て記述子Ｆを得る手段と、検討されるフレーム期間においてＫ個の個々の送信を実行するために、各候補周波数リソースが何回用いられるかを示す周波数発生記述子Ｇを得る手段と、上記セルにおいて周波数発生記述子Ｇをシグナリングする手段と、第１の周波数割り当て記述子Ｆおよび所定の周波数シーケンシング規則に従って、Ｋ個の個々の送信のためのデータの送信を可能にする手段であって、所定の周波数シーケンシング規則は、フレーム期間内の周波数発生記述子Ｇに鑑みて、いずれの順序で候補周波数リソースが検討されるかを示す手段とを備える。アクセスポイントは、アクセスポイントにアタッチされたモバイル端末が、検討されるフレーム期間内のいずれの時間リソースが、Ｋ個の個々の送信の各々に関連付けられるかを判断することを可能にするインジケーションを提供する手段をさらに備える。
【００２０】
本発明は、また、モバイル端末であって、無線通信ネットワークのセルを管理するアクセスポイントから、上記セル内の上記アクセスポイントにアタッチされるように意図された複数のモバイル端末へのＫ個の個々の送信の中の１つの送信のデータを受信するように適合され、Ｋ個の個々の送信は、フレーム期間単位で候補時間および周波数リソースの所定の組の中からの時間および周波数リソースを介して実行されるように意図され、各時間および周波数リソースは、所定の時間リソースにわたって使用可能な所定の周波数リソースであり、検討されるフレーム期間内のＫ個の個々の送信の各々に１つの時間および周波数リソースが割り当てられるように意図される、モバイル端末に関する。アクセスポイントにアタッチされるように意図されるモバイル端末は、シグナリングを介して、検討されるフレーム期間においてＫ個の個々の送信を実行するために、各候補周波数リソースが何回用いられるかを示す周波数発生記述子Ｇを受信する手段と、受信した周波数発生記述子Ｇからおよび所定の周波数シーケンシング規則から、検討されるフレーム期間のシーケンス内の各時間リソースにいずれの周波数リソースが割り当てられたかを記述する第２の周波数割り当て記述子Ｆ’を決定する手段であって、所定の周波数シーケンシング規則は、フレーム期間内の周波数発生記述子Ｇに鑑みて、候補周波数リソースがいずれの順序で検討されるかを示す手段と、アクセスポイントから、当該アクセスポイントにアタッチされたモバイル端末が、検討されるフレーム期間内のいずれの時間リソースが、Ｋ個の個々の送信の各々に関連付けられているかを判断することを可能にするインジケーションを得る手段と、第２の周波数割り当て記述子Ｆ’に従って、かつ、得られたインジケーションにさらに従って、Ｋ個の個々の送信のためのデータを受信する手段とを備える。
【００２１】
本発明は、また、無線通信ネットワークのセルを管理するアクセスポイントから、上記セル内の上記アクセスポイントにアタッチされた複数のモバイル端末へのＫ個の個々の送信を行うシステムに関する。システムは、上述したような少なくとも１つのアクセスポイントおよび複数のモバイル端末を備える。
【００２２】
本発明は、また、通信ネットワークからダウンロードすることができ、および／または処理デバイスによって読み出すことができる媒体に記憶することができる、コンピュータプログラムに関する。このコンピュータプログラムは、このプログラムが処理デバイスによって実行されたときに、アクセスポイントに関連して上述した方法、またはモバイル端末に関連して上述した方法を実施させるための命令を含む。本発明は、また、１組の命令を含むコンピュータプログラムを記憶する情報ストレージ手段に関する。この１組の命令は、記憶された情報が上記情報ストレージ手段から読み出され、処理デバイスによって実行されたときに、アクセスポイントに関連して上述した方法、またはモバイル端末に関連して上述した方法を実施させる。
【００２３】
アクセスポイント、モバイル端末、およびコンピュータプログラムに関する特徴は、対応する上述した方法に関してすでに述べたものに類似しているため、対応する利点は、ここでは繰り返されない。
【００２４】
本発明の特性は、実施の形態の一例の以下の説明を読むことからさらに明らかになり、その説明は、添付の図面を参照しながら行われる。
【図面の簡単な説明】
【００２５】
【図１】本発明を実施することができる無線通信ネットワークを概略的に表す図である。
【図２】無線通信ネットワークの時間および周波数リソースのグリッドを概略的に表す図であり、グリッドは、検討されるフレーム期間の時間リソースの組のための候補周波数リソースの組を表す。
【図３】無線通信ネットワークの通信デバイスのハードウェアアーキテクチャーを概略的に表す図である。
【図４】無線通信ネットワークの少なくとも１つのアクセスポイントによって実行される、上記アクセスポイントにアタッチされたモバイル端末にデータを送信し、および／または上記モバイル端末からデータを受信するためのアルゴリズムを概略的に表す図である。
【図５】無線通信ネットワークのアクセスポイントが、上記アクセスポイントにアタッチされたモバイル端末にデータを送信し、および／または上記モバイル端末からデータを受信することを可能にするために無線通信ネットワーク内で用いられるフレームのフォーマットを概略的に表す図である。
【図６】上記アクセスポイントからデータを受信し、および／または上記アクセスポイントにデータを送信するために、無線通信ネットワークのアクセスポイントにアタッチされた各モバイル端末によって実行されるアルゴリズムを概略的に表す図である。
【図７】無線通信ネットワークの少なくとも１つのアクセスポイントによって実行される、周波数発生記述子のコンテンツを決定するためのアルゴリズムを概略的に表す図である。
【図８】無線通信ネットワークのアクセスポイントにアタッチされた各モバイル端末によって実行される、周波数発生記述子から、上記アクセスポイントによってデータを送信するために用いる時間および周波数リソースを決定するためのアルゴリズムを概略的に表す図である。
【発明を実施するための形態】
【００２６】
本明細書において、無線通信ネットワーク内で個々の送信を行うための時間および周波数リソースを提供する無線通信ネットワークが検討される。すでに述べたように、時間および周波数リソースは、フレーム期間単位でグリッドによって表すことができ、候補周波数リソースは、１つの軸において表され、検討されるフレーム期間の時間リソースは、別の軸において表される。フレーム期間ごとに、グリッドの時間および周波数リソースの中のいずれの時間および周波数リソースを用いて、量Ｋの個々の送信を行わなくてはならないかを定義する時間および周波数リソース割り当てがシグナリングされなくてはならない。個々の送信は、上記送信が互いに相関していないこと、例えば、上記個々の送信のうちの１つまたは別のものが１つのフレーム内で最初に実行されるか否かに対する制約がないことを意味する。一方、Ｋ個の個々の送信のうちの各々がフレーム期間ごとに１つの時間および周波数リソースを割り当てられるべきであると考えられている。時間および周波数リソースの割り当ては、第１のフレーム期間内でアクティブな個々の送信の量が、第２のフレーム期間においてアクティブである個々の送信の量と異なる場合があることに起因して、上記第１のフレーム期間と後続の上記第２のフレーム期間とで変化し得る。さらに、時間および周波数リソースの割り当ては、時間および周波数リソースの割り当てが、所定の量の連続フレーム期間にわたるＫ個の個々の送信の各々について周波数ホッピングを考慮に入れることができることに起因して、第１のフレーム期間と第２のフレーム期間とで変化し得る。
【００２７】
本明細書において、単一のフレーム期間にわたって、送信条件が変化する確率は、無視できるほどであることがさらに検討される。これは、上記の単一のフレーム内の任意の時間リソースを、Ｋ個の個々の送信のうちの１つの送信または別の送信を行うために無差別に用いることができることを意味する。
【００２８】
図１は、本発明を実施することができる無線通信ネットワークを概略的に表す図である。
【００２９】
図１に示す無線通信ネットワークは、少なくとも１つのアクセスポイントＡＰと複数のモバイル端末とを含む。無線通信ネットワークは、好ましくは複数のＡＰを含む。２つのＡＰ１１０、１１１が、図１に例示的に表されている。各モバイル端末は、その地理的ロケーションに従って１つのＡＰにアタッチされ、すなわち、上記モバイル端末がアタッチされているＡＰを介して無線通信ネットワークのサービスにアクセスする。図１において、３つのモバイル端末１２０、１２１、１２２がＡＰ１１０にアタッチされ、２つのモバイル端末１２３、１２４がＡＰ１１１にアタッチされていることが例示的に表されている。無線通信ネットワークは、セルと呼ばれるランドエリアにわたってアクティブである。無線通信ネットワークの各ＡＰは、セルを管理し、このセルのランドエリア内に存在するモバイル端末が、このセルを管理している、すなわち、このモバイル端末がアタッチされているＡＰを介して無線通信ネットワークのサービスから利益を得ることを可能にする。
【００３０】
したがって、図１において、図１の実線の矢印によって表されるように、モバイル端末１２０、１２１、１２２は、ＡＰ１１０を介して無線通信ネットワーク内で通信し、モバイル端末１２３、１２４は、ＡＰ１１１を介して無線通信ネットワーク内で通信する。無線通信ネットワークは、無線通信ネットワークのサービスを実施することを可能にするために、各ＡＰに接続されたサーバー１００をさらに備えることが好ましい。
【００３１】
モバイル端末１２３の観点から、ＡＰ１１０とモバイル端末１２２との間のダウンリンクおよび／またはアップリンク通信が、ＡＰ１１１とモバイル端末１２３との間のダウンリンクおよび／またはアップリンク通信と干渉する場合があることが図１にさらに表される。モバイル端末１２２の観点から、ＡＰ１１１とモバイル端末１２３との間のダウンリンクおよび／またはアップリンク通信が、ＡＰ１１０およびモバイル端末１２２からのダウンリンクおよび／またはアップリンク通信と干渉する場合がある。そのような干渉は、図１において破線の矢印で表される。無線通信ネットワークにおけるダウンリンクおよび／またはアップリンク通信に対するものでない他の干渉は、モバイル端末の近傍および／またはＡＰの近傍に位置する外部干渉体の存在に起因して生じる場合がある。そのような干渉、またはノイズもしくはパスロスには、送信のための時間および周波数リソースを割り当てる際に周波数ホッピングを行うことにより対処することができる。周波数ホッピングは、周波数リソース使用の観点で多様性を提供し、送信が狭帯域干渉に対しロバストになることを可能にする。
【００３２】
「ダウンリンク通信」という表現は、本明細書において、当業者によって一般的に理解されるように、検討されるアクセスポイントから検討されるモバイル端末への通信を指す。「アップリンク通信」という表現は、本明細書において、当業者によって一般的に理解されるように、検討されるモバイル端末から検討されるアクセスポイントへの通信を指す。
【００３３】
サーバー１００は、無線通信ネットワーク内の時間および周波数リソースの割り当ての実行を担当する。これを達成するために、サーバー１００は、ＡＰ１１０、１１１と通信し、割り当て要求を受信して処理する。一変形形態では、時間および周波数リソースの割り当ては、サーバー１００によって実行されるのではなく、ＡＰ１１０、１１１自体によって実行される。
【００３４】
無線通信ネットワークにおける時間および周波数リソースの割り当ての実行を担当するデバイス、すなわち、ＡＰまたはサーバー１００は、管理デバイスと呼ぶことができる。
【００３５】
ＡＰと、ＡＰにそれぞれアタッチされたモバイル端末との間の送信は、個々の送信、すなわち、相関していない送信とみなされる。
【００３６】
例示的な方式では、本明細書において検討されるモバイル端末は、ＡＰ１１０、１１１がエッジに位置する鉄道路線上で運行を実行する列車内に設置される通信デバイスとすることができる。
【００３７】
すでに述べたように、ＡＰ１１０とモバイル端末１２０、１２１、１２２との間の送信、およびＡＰ１１１とモバイル端末１２３、１２４との間の送信を行うために用いることができる時間および周波数リソースは、図２に例示的に示されているように、時間および周波数リソースのグリッドを用いてフレーム期間単位で表すことができる。したがって、上記送信は、ダウンリンクおよび／またはアップリンク通信とすることができる。
【００３８】
図２において、候補周波数リソースは、縦座標（垂直軸）として表され、検討されるフレーム期間の時間リソースは、横座標（水平軸）として表される。例示的に、２４００ＭＨｚ〜２４８０ＭＨｚの周波数帯域が、各々５ＭＨｚの１６個の周波数リソースに分割される。換言すれば、図２に示すグリッドの各行は、５ＭＨｚ幅の周波数リソースを表す。時間は、それ自体が例示的に、各々４ｍｓのタイムスロットとも呼ばれる時間リソースを含む複数のフレーム期間に分割される。２０個の時間リソースが図２に示すグリッドによって表される。換言すれば、図２に示すグリッドの各列は、４ｍｓ幅の時間リソースを表す。したがって、図２のグリッドに表される各四角形は、４ｍｓにわたる５ＭＨｚの時間および周波数リソースに対応する。
【００３９】
Ｋ個の個々の送信は、フレーム期間単位で上記グリッドの時間および周波数リソースを用いて実行される。各フレームにおけるダウンリンクおよび／またはアップリンク通信のために用いられる時間および周波数リソースを示すために、シグナリング情報が、ＡＰから、このＡＰにアタッチされたモバイル端末に送信されなくてはならない。それによって、上記モバイル端末は、上記フレーム期間中にグリッドのいずれの時間および周波数リソースが用いられるかを判断することができる。
【００４０】
シグナリング情報が提供されるフレーム期間の一部分は、通常、サイズが限られており、したがって、グリッドによって可能にされる周波数ホッピングシーケンスの包括的な量と比較して、許容可能な周波数ホッピングシーケンスの量が低減する。別の手法では、シグナリング情報のサイズを低減することは、無線通信ネットワークにおけるリソース消費に有利である。なぜなら、上記シグナリングに用いられないリソースを、他の情報を送信するために用いることができるためである。
【００４１】
図２に示す時間および周波数リソースのグリッドは、フレーム期間のうちの、シグナリング情報を送信するのに用いることができる期間を示していない。特定の実施の形態では、フレーム期間は、シグナリング情報等の、ブロードキャスト情報に専用の所定の期間を含む。そのような所定の期間は、ブロードキャストチャネル（ＢＣＨ）と呼ばれる。
【００４２】
好ましい実施の形態において、上述したブロードキャストチャネルＢＣＨを用いて、シグナリング情報が送信されるフレーム期間に効果的に適用される上記シグナリング情報を提供する。したがって、ブロードキャストチャネルＢＣＨは、Ｋ個の個々の送信を行うために用いられる時間リソースの前に配置される。一変形形態では、ブロードキャストチャネルＢＣＨを用いて、シグナリング情報が送信されるフレーム期間よりも後のフレーム期間に効果的に適用される上記シグナリング情報を提供する。したがって、ブロードキャストチャネルＢＣＨは、フレーム期間内の他の場所に配置することができる。
【００４３】
図３は、無線通信ネットワークの通信デバイス３５０を概略的に表す。通信デバイス３５０は、ＡＰ１１０等のＡＰの表現、および／またはモバイル端末１２０等のモバイル端末の表現、および／またはサーバー１００の表現とすることができる。
【００４４】
図示されるアーキテクチャーによれば、通信デバイス３５０は、通信バス３１０によって相互接続される以下の構成要素を備える：プロセッサ、マイクロプロセッサ、マイクロコントローラーまたはＣＰＵ（中央処理ユニット）３００；ＲＡＭ（ランダムアクセスメモリ）３０１；ＲＯＭ（リードオンリーメモリ）３０２；ＨＤＤ（ハードディスクドライブ）もしくはＳＤ（セキュアデジタル）カードリーダー３０３または記憶手段に記憶された情報を読み出すように構成される任意の他のデバイス；少なくとも１つの通信インターフェース３０４の組。
【００４５】
少なくとも１つの通信インターフェース３０４の組によって、通信デバイスが、無線通信ネットワークの少なくとも１つの他の通信デバイスと通信することが可能になる。
【００４６】
ＣＰＵ３００は、ＲＯＭ３０２から、またはＳＤカード等の外部メモリからＲＡＭ３０１の中にロードされる命令を実行することができる。通信デバイス３５０が起動された後に、ＣＰＵ３００は、ＲＡＭ３０１から命令を読み出し、これらの命令を実行することができる。それらの命令は、１つのコンピュータプログラムを形成し、そのプログラムによって、ＣＰＵ３００は、したがって、通信デバイス３５０は、以下に説明されるアルゴリズムのステップのうちのいくつかまたは全てを実行する。
【００４７】
以下に説明されるアルゴリズムのありとあらゆるステップは、ＰＣ（パーソナルコンピュータ）、ＤＳＰ（デジタルシグナルプロセッサ）もしくはマイクロコントローラーのようなプログラム可能な計算機によって１組の命令もしくはプログラムを実行することによってソフトウェアにおいて実施することができるか、またはＦＰＧＡ（フィールドプログラマブルゲートアレイ）もしくはＡＳＩＣ（特定用途向け集積回路）のような、機械もしくは専用構成要素によってハードウェアにおいて実現することができる。
【００４８】
図４は、無線通信ネットワークにおいて複数のモバイル端末にデータを送信するための無線通信ネットワークの少なくとも１つのＡＰによって実行されるアルゴリズムを概略的に表す。図４のアルゴリズムがＡＰ１１０によって実行されることを検討する。図４のアルゴリズムは、無線通信ネットワークの任意のおよび全てのＡＰによって実行されることが好ましい。
【００４９】
時間および周波数リソースのグリッドが、フレーム期間単位で、量Ｌの複数の候補周波数リソースおよび量Ｎの複数の時間リソースを含むことを検討する。ＡＰ１１０が、フレーム単位で、Ｋ≦Ｎとなるように量Ｋの個々の送信の範囲内でデータを送信することを意図することをさらに検討する。単一のフレーム期間において、送信条件が変化する確率が無視できること、すなわち、上記単一のフレーム期間中の任意の個々の送信を実行するために用いられる有効時間リソースが送信性能にアプリオリな影響を与えないことがさらに検討される。
【００５０】
ステップＳ４０１において、ＡＰ１１０は、Ｋ個の個々の送信の各々について、検討されるフレーム期間において、いずれの周波数リソースがＡＰ１１０とＡＰ１１０にアタッチされたモバイル端末との間でデータを送信するために割り当てられるかを記述する第１の周波数割り当て記述子Ｆを得る。第１の周波数割り当て記述子Ｆは、例えば、連続フレームにわたってモバイル端末の各々について周波数ホッピングを達成するために、ＡＰ１１０によって決定することができる。第１の周波数割り当て記述子Ｆは、例えば、連続したフレーム期間にわたるＫ個の個々の送信の各々について周波数ホッピングを達成するために、サーバー１００によって決定することができ、次に、第１の周波数割り当て記述子Ｆがサーバー１００によってＡＰ１１０に送信される。周波数割り当ては、例えば、連続フレームにわたる周波数リソースの使用が、全ての候補周波数リソースにわたって公平に分散されていることを確保するために、周波数ホッピング以外のポリシーに従って実行されてもよい。
【００５１】
したがって、第１の周波数割り当て記述子Ｆは、Ｋ個の要素Ｆ（ｉ）から構成される。ここで、ｉは、この場合、Ｋ個の個々の送信のうちのいずれの送信が検討されるかを特定するために用いられる１〜Ｋの値をとることができるインデックスである。したがって、ｉの値は、Ｋ個の個々の送信の中の１つの個々の送信を表す。第１の周波数割り当て記述子Ｆの各要素Ｆ（ｉ）は、インデックスｉによって特定される個々の送信に割り当てられる周波数リソースを特定する、Ｆ（ｉ）．ｆ＿ＩＤで表される情報を含む。上記情報Ｆ（ｉ）．ｆ＿ＩＤは、Ｌ個の候補周波数リソースの中の１つの周波数リソースを特定するのに用いられる、１〜Ｌの値をとることができるインデックスｊの値である。
【００５２】
ステップＳ４０２において、ＡＰ１１０は、第１の周波数割り当て記述子Ｆから、候補周波数リソースごとに、この候補周波数リソースが検討されるフレーム期間において何回用いられるかを記述する周波数発生記述子Ｇを決定する。したがって、周波数発生記述子Ｇは、Ｌ個の要素Ｇ（ｊ）で構成される。周波数発生記述子Ｇの各要素Ｇ（ｊ）は、検討されるフレーム期間においてインデックスｊによって特定される周波数リソースの発生量を特定する、Ｇ（ｊ）．Ｎｂで表される情報を含む。
【００５３】
一変形形態では、サーバー１００は、第１の周波数割り当て記述子Ｆから周波数発生記述子Ｇを決定し、次に、この周波数発生記述子ＧをＡＰ１１０に送信する。
【００５４】
第１の周波数割り当て記述子Ｆから周波数発生記述子Ｇを決定するための１つの実施の形態が、図７を参照して、以下で詳述される。
【００５５】
ステップＳ４０３において、ＡＰ１１０は、ＡＰ１１０にアタッチされたモバイル端末１２０、１２１、１２２に、シグナリング情報を送信し、これによって、周波数発生記述子Ｇを上記モバイル端末１２０、１２１、１２２に送信する。ＡＰ１１０は、シグナリング情報を、上記周波数発生記述子Ｇに関係する、関与するフレーム期間の時間および周波数リソースの前にタイムリーに送信する。ＡＰ１１０によって送信されるシグナリング情報は、周波数発生記述子Ｇ以外の情報を含むことができる。上述したブロードキャストチャネルＢＣＨに依拠する例示的な実施の形態が、図５に関して、以下で詳述される。
【００５６】
ステップＳ４０４において、ＡＰ１１０は、検討されるフレーム期間において、第１の周波数割り当て記述子Ｆに従って、かつ、所定の周波数シーケンシング規則に従って、Ｋ個の個々の送信のうちの各々についてデータの送信を可能にする。周波数シーケンシング規則は、フレーム期間内の周波数発生記述子Ｇに鑑みて、候補周波数リソースをどの順序で検討するべきかを定義する。ダウンリンク通信の場合、ＡＰ１１０は、検討される時間および周波数リソースにおいて、第１の周波数割り当て記述子Ｆおよび所定の周波数シーケンシング規則に従って、上記時間および周波数リソースが対応する、検討される個々の送信についてデータを送信する。アップリンク通信の場合、ＡＰ１１０は、検討される時間および周波数リソースにおいて、第１の周波数割り当て記述子Ｆおよび所定の周波数シーケンシング規則に従って、上記時間および周波数リソースが対応する、検討される個々の送信についてデータを受信することを予期する。
【００５７】
第１の例示的な実施例によれば、上記周波数シーケンシング規則は、ＡＰ１１０が、（周波数発生記述子Ｇにおいて効果的に示される）候補周波数リソースの全ての発生を、インデックスｊの昇順で用いる（すなわち、存在する場合、インデックス値「１」によって特定される周波数リソースの全ての発生Ｇ（１）、次に、存在する場合、インデックス値「２」によって特定される周波数リソースの全ての発生Ｇ（２）であり、以下、同様である）ことを定義する。
【００５８】
第２の例示的な実施例によれば、上記周波数シーケンシング規則は、ＡＰ１１０が、（周波数発生記述子Ｇにおいて効果的に示される）候補周波数リソースの発生を、インデックスｊの昇順で周期的に用いる（すなわち、存在する場合、インデックス値「１」によって特定される周波数リソースの１つの発生Ｇ（１）、次に、存在する場合、インデックス値「２」によって特定される周波数リソースの１つの発生Ｇ（２）、そして、Ｌに等しいインデックス値によって特定される周波数リソースまで、以下、同様に続き、その後、存在する場合、インデックス値「１」によって特定される周波数リソースでサイクルを再開し、以下、同様である）ことを定義する。
【００５９】
候補周波数リソース利用のシーケンシングのために任意の他の種類の周波数シーケンシング規則を定義することができる。
【００６０】
周波数シーケンシング規則は、例えば、製造または初期化中にあらかじめ定義することができる。一変形形態では、周波数シーケンシング規則は、ＡＰ１１０によって決定され、これを表す情報が、ＡＰ１１０によって、ＡＰ１１０にアタッチされたモバイル端末１２０、１２１、１２２に提供され、連続フレーム期間にわたってさらに適用される。別の変形形態では、サーバー１００によって周波数シーケンシング規則が定義され、それを表す情報がＡＰ１１０に提供され、次に、ＡＰ１１０は、上記情報を、ＡＰ１１０にアタッチされたモバイル端末１２０、１２１、１２２に提供する。周波数シーケンシング規則が動的に定義される場合、周波数シーケンシング規則を表す情報の送信が行われる頻度は、周波数発生記述子Ｇをシグナリングする頻度よりも大幅に少ない。実際に、周波数シーケンシング規則は、経時的に非常に安定している（ただし、時折幾分の変化が見られる場合がある）ことが意図されるのに対し、周波数発生記述子Ｇは、フレーム期間単位で変化することが意図される。
【００６１】
特定の実施の形態では、ＡＰ１１０は、検討されるフレーム期間において、所定の送信割り当て規則にさらに従って、Ｋ個の個々の送信の各々について、上記データを送信することを可能にする。送信割り当て規則は、周波数発生記述子Ｇに鑑みて、かつ、周波数シーケンシング規則に鑑みて、各フレーム期間内でいずれの順序で時間リソースが検討されるかを定義する。
【００６２】
送信割り当て規則は、周波数発生記述子Ｇに鑑みて、かつ、周波数シーケンシング規則に鑑みて、いずれの順序で時間リソースが検討されるかを示す送信割り当て記述子ＴＡによって表すことができる。したがって、送信割り当て記述子ＴＡは、Ｎ個の要素ＴＡ（ｋ）で構成される。ここで、この場合、ｋは、１〜Ｎの値をとることができるインデックスである。送信割り当て記述子ＴＡの各要素ＴＡ（ｋ）は、検討されるフレーム期間におけるシーケンス内のｋ番目の位置において検討されるために割り当てられる時間リソースを特定する、ＴＡ（ｋ）．ｔ＿ＩＤによって表される情報を含む（各時間リソースは１回のみ現れる）。例示的な実施例として、４つの時間リソースのフレーム期間を検討すると、ＴＡ（１）．ｔ＿ＩＤ＝３、ＴＡ（２）．ｔ＿ＩＤ＝１、ＴＡ（１）．ｔ＿ＩＤ＝２およびＴＡ（４）．ｔ＿ＩＤ＝４であるような送信割り当て記述子ＴＡは、シーケンス内の第３の時間リソースが最初に検討され、次に、シーケンス内の第１の時間リソースが検討され、次に、シーケンス内の第２の時間リソースが検討され、次に、シーケンス内の第４の時間リソースが検討されることを意味する。
【００６３】
送信割り当て規則の定義は、無線通信ネットワークの隣接するセル間の潜在的な干渉、例えば、無線通信ネットワークの第１のＡＰにアタッチされたモバイル端末が無線通信ネットワークの第２のＡＰによって送信される信号に起因して受ける干渉を低減するのに特に有用である。実際に、隣接するセルのために別個の送信割り当て規則をそれぞれ定義することによって、隣接するセル間の潜在的な干渉が低減される。したがって、第１の特定の実施の形態によれば、各ＡＰは、上記ＡＰによって管理されるセル内に適用される送信割り当て規則をランダムに定義する。一変形形態では、サーバー１００は、無線通信ネットワークのＡＰにそれぞれ適用される送信割り当て規則をランダムに定義し、このランダムに定義された送信割り当て規則を、さらに適用するために、それぞれのＡＰに提供する。第２の特定の実施の形態によれば、サーバー１００は、１つの上記のセルのための送信割り当て規則を定義し、時間リソースが他の各上記セル内で検討される順序を循環シフトすることによって、Ｃ個の隣接するセルの量内でそれぞれ適用される送信割り当て規則を決定する。例えば、サーバー１００は、ｃ．ｆｌｏｏｒ（Ｎ／Ｃ）〜（ｃ．ｆｌｏｏｒ（Ｎ／Ｃ））−１のインデックスｋの循環する昇順で時間リソースの順序を定義する。ここで、ｃは、Ｃ個の隣接セル間でセルのうちのいずれが検討されるかを特定するのに用いられる１〜Ｃの値をとることができるインデックスである。
【００６４】
送信割り当て規則は、例えば、製造中または初期化中にあらかじめ定義することができる。一変形形態では、送信割り当て規則は、ＡＰ１１０によって決定され、これを表す情報が、ＡＰ１１０によって、ＡＰ１１０にアタッチされたモバイル端末１２０、１２１、１２２に提供され、連続フレーム期間にわたってさらに適用される。別の変形形態では、送信割り当て規則は、サーバー１００によって定義され、この規則を表す情報がＡＰ１１０に提供され、次に、ＡＰ１１０は、上記情報を、ＡＰ１１０にアタッチされたモバイル端末に提供する。送信割り当て規則が動的に定義される場合、送信割り当て規則を表す情報のシグナリングが行われる頻度は、周波数発生記述子Ｇをシグナリングする頻度よりも大幅に少ない。実際に、送信割り当て規則は、経時的に非常に安定している（ただし、時折幾分の変化が見られる場合がある）ことが意図されるのに対し、周波数発生記述子Ｇは、フレーム期間単位で変化することが意図される。
【００６５】
ステップＳ４０５において、ＡＰ１１０は、ＡＰ１１０にアタッチされたモバイル端末が、いずれの時間リソースがＫ個の個々の送信の各々に関連付けられているかを判断することを可能にするインジケーションを提供する。したがって、上記インジケーションは、第１の周波数割り当て記述子Ｆに従って、かつ、所定の周波数シーケンシング規則に従って、そして任意選択で、送信割り当て規則にさらに従って定義される。これによって、図６に関して以下で詳述されるように、ＡＰ１１０にアタッチされた各モバイル端末１２０、１２１、１２２が、上記データが上記モバイル端末に宛てられているか、またはＡＰ１１０にアタッチされた別のモバイル端末に宛てられているかを判断することが可能になる。
【００６６】
第１の実施の形態によれば、モバイル端末が、検討されるフレーム期間内のいずれの時間リソースが、Ｋ個の個々の送信の各々に関連付けられているかを判断することを可能にするインジケーションを提供するために、検討されるフレーム期間がダウンリンク通信に専用であることを考慮して、ＡＰ１１０は、Ｋ個の個々の送信の各々について送信されるデータ内に、上記個々の送信を表す識別子を含める。このため、検討されるフレーム期間の各時間リソースにおいてＡＰ１１０によって送信されるデータは、Ｋ個の個々の送信の中の関与する個々の送信に対する識別子、すなわち、通常、モバイル端末ごとに１つの個々の送信が存在するときに上記データが効果的に宛てられるモバイル端末の識別子を含む。
【００６７】
第２の実施の形態によれば、Ｋ個の個々の送信が、所定の方式でダウンリンク通信とアップリンク通信との間のフレーム期間にわたって交互に行われる（例えば、１つのフレーム期間がダウンリンク通信に専用であり、直後のフレーム期間がアップリンク通信に専用であり、以下、同様である）ことを考慮して、アクセスポイントは、Ｋ個の個々の送信の中のダウンリンク通信ごとに送信されるデータ内に、上記個々の送信を表す識別子を含め、上記検討されるフレーム期間の上記データ内に、後続のフレーム期間において上記個々の送信のアップリンク通信に用いられる時間リソースを表す識別子をさらに含める。したがって、ＡＰ１１０にアタッチされ、上記Ｋ個の個々の送信の中の１つの個々の送信が関与する各モバイル端末は、ダウンリンク通信データにおいて、上記個々の送信のアップリンク通信データを送信するための後続のフレーム期間において、いずれの時間リソースが用いられるかを特定することができる。したがって、上記後続のフレーム期間においてシグナリング情報として送信される周波数発生記述子Ｇは、上記アップリンク通信に適用される。
【００６８】
第３の実施の形態によれば、モバイル端末が、検討されるフレーム期間内のいずれの時間リソースがＫ個の個々の送信の各々に関連付けられるかを判断することを可能にするインジケーションを提供するために、ＡＰ１１０は、検討されるフレーム期間の時間リソースごとに、上記時間リソースがダウンリンク通信に用いられることを意図されているか、またはアップリンク通信に用いられることを意図されているかを、上記時間リソースが割り当てられるＫ個の個々の送信の中の個々の送信を表す識別子に関連付けて示すシグナリング情報を送信する。したがって、シグナリング情報は、この目的でＮ個の要素を含み、各要素は、要素が参照する時間リソースが割り当てられるＫ個の個々の送信の中の個々の送信を表す識別子、および上記時間リソースがダウンリンク通信のために意図されているか、またはアップリンク通信のために意図されているかを示すインジケーションを含む。
【００６９】
一変形形態では、上述した周波数発生記述子Ｇ等の２つの周波数発生記述子を、検討されるフレーム期間のシグナリングにおけるダウンリンク通信およびアップリンク通信にそれぞれ用いることができる。
【００７０】
第４の実施の形態によれば、モバイル端末が、検討されるフレーム期間内のいずれの時間リソースがＫ個の個々の送信の各々に関連付けられるかを判断することを可能にするインジケーションを提供するために、Ｋ個の個々の送信が、フレーム期間にわたって所定の方式でダウンリンク通信とアップリンク通信との間で交互に行われる（例えば、１つのフレーム期間がダウンリンク通信に専用であり、直後のフレーム期間がアップリンク通信に専用であり、以下、同様である）ことを考慮して、ＡＰ１１０は、検討されるフレーム期間の時間リソースごとに、上記時間リソースが割り当てられる個々の送信を表す識別子を示すシグナリング情報を送信する。したがって、シグナリング情報は、この目的でＮ個の要素を含み、各要素は、要素が参照する時間リソースが割り当てられるＫ個の個々の送信の中の個々の送信を表す識別子を含む。したがって、検討されるフレーム期間について、ＡＰ１１０にアタッチされた各モバイル端末は、上記フレーム期間がダウンリンク通信に専用であるか、またはアップリンク通信に専用であるかを知ることができる。なぜなら、Ｋ個の個々の送信は、所定の方式で、フレーム期間にわたってダウンリンク通信とアップリンク通信との間で交互に行われるためである。次に、シグナリング情報により、ＡＰ１１０にアタッチされた各モバイル端末が、いずれの時間リソースがＫ個の個々の送信のいずれに専用であるかを知ることができる。
【００７１】
上記から、第１の周波数割り当て記述子Ｆの代わりに周波数発生記述子Ｇをシグナリングすることによって、ｅｘｐ（１）＜Ｌ＜Ｎのときにシグナリングが低減されることに留意することができる。
【００７２】
特定の実施の形態では、周波数発生記述子Ｇは、差分ビットマッピングを用いることによって符号化される。差分ビットマッピングでは、インデックスｊによって特定される各周波数リソースの発生量Ｇ（ｊ）．Ｎｂは、値「０」を有する連続ビットの量Ｇ（ｊ）．Ｎｂによって表され、インデックスｊによって特定される１つの周波数リソースのための発生の表現が、インデックスｊ＋１によって特定される後続の周波数リソースのための発生の表現と、値「１」を有するビットによって分離されている。例示的な検討のために、Ｇ（１）．Ｎｂ＝１、Ｇ（２）．Ｎｂ＝０、Ｇ（３）．Ｎｂ＝３およびＧ（４）．Ｎｂ＝３であるような７つの時間リソースにわたる４つの候補周波数リソースのための周波数発生記述子Ｇは、０１１０００１０００として表される。したがって、この手法は、Ｎ＋Ｌ−１ビットを必要とする。ビット値「０」および「１」の使用は、反転することができることに留意することができる。
【００７３】
図５は、ＡＰ１１０等のＡＰと、ＡＰにアタッチされた複数のモバイル端末との間でデータを送信するためのフレームのフォーマットを概略的に表す。
【００７４】
各フレーム期間において、図５に示すフォーマットによるフレームは、無線通信ネットワークの各ＡＰによって送信される。
【００７５】
フレームのフォーマットは、フレームが、シグナリング情報に専用の第１のフィールド５０１から開始するようになっている。第１のフィールド５０１は、ブロードキャストチャネルＢＣＨデータ、および、より詳細には、少なくとも周波数発生記述子Ｇを含むように意図される。好ましい実施の形態では、周波数発生記述子Ｇは、上記周波数発生記述子Ｇが挿入されるフレームに適用される。周波数発生記述子Ｇは、一変形形態では、後続のフレームに適用することができる。第１のフィールド５０１は、検討されるＡＰにアタッチされた各モバイル端末にも知られている少なくとも１つの所定の周波数にわたって送信される。第１のフィールド５０１は、この第１のフィールド５０１を送信するＡＰにアタッチされた各モバイル端末によって受信されることを意図される。なぜなら、上記第１のフィールド５０１は、シグナリング情報（ブロードキャストモード）を含むためである。したがって、上記ＡＰは、第１のフィールド５０１が上記ＡＰにアタッチされた１つまたは複数のモバイル端末によって受信されないリスクを制限するために、適切な変調および符号化方式を適用する。
【００７６】
フレームのフォーマットは、フレームが１組のペイロードフィールド５１０、５１１、５１２を継続するようになっている。各ペイロードフィールド５１０、５１１、５１２は、時間および周波数リソースの上述したグリッドに従って時間リソースに対応する持続時間を有する。１つのペイロードフィールドが、検討されるフレーム期間において用いられる時間リソースごとにフレーム内に存在する。したがって、フレームの長さは、検討されるフレーム期間において実行されなくてはならない個々の送信の量に依拠する。すなわち、検討されるフレームにおいて、Ｋ個の個々の送信の各々につき１つのペイロードフィールドの、Ｋ個のペイロードフィールドが存在する。
【００７７】
図４に関して上述した第１の実施の形態において、検討されるフレーム期間がダウンリンク通信に専用であることを考慮すると、検討されるＡＰにアタッチされる各モバイル端末が、任意のペイロードフィールドに含まれるデータがこのモバイル端末に宛てられたものであるか否かを判断することを可能にするために、各ペイロードフィールド５１０、５１１、５１２は、Ｋ個の個々の送信の中の関与する個々の送信の識別子を含む。
【００７８】
図４に関して上述した第２の実施の形態では、Ｋ個の個々の送信が、フレーム期間にわたって所定の方式でダウンリンク通信とアップリンク通信との間で交互に行われることを考慮して、Ｋ個の個々の送信の中のダウンリンク通信に専用の各ペイロードフィールド５１０、５１１、５１２は、上記個々の送信を表す識別子を含み、後続のフレーム期間における上記個々の送信のアップリンク通信に用いられる時間リソースを表す識別子をさらに含む。
【００７９】
図４に関して上述した第３の実施の形態では、第１のフィールド５０１は、検討されるフレーム期間の時間リソースごとに、上記時間リソースがダウンリンク通信に用いられることを意図されているか、またはアップリンク通信に用いられることを意図されているかを、上記時間リソースが割り当てられるＫ個の個々の送信の中の個々の送信を表す識別子に関連付けて示すシグナリング情報を含む。したがって、フレーム期間あたりＮ個の時間リソースを考慮すると、シグナリング情報は、この目的でＮ個の要素を含み、各要素は、要素が参照する時間リソースが割り当てられるＫ個の個々の送信の中の個々の送信を表す識別子、および上記時間リソースがダウンリンク通信のために意図されているか、またはアップリンク通信のために意図されているかを示すインジケーション（通常、１ビット）を含む。
【００８０】
図４に関して上述した第４の実施の形態では、Ｋ個の個々の送信が、フレーム期間にわたって所定の方式でダウンリンク通信とアップリンク通信との間で交互に行われることを考慮して、第１のフィールド５０１は、検討されるフレーム期間の時間リソースごとに、上記時間リソースが割り当てられる個々の送信を表す識別子を示すシグナリング情報を含む。したがって、フレーム期間あたりＮ個の時間リソースが存在することを考慮すると、シグナリング情報は、この目的でＮ個の要素を含み、各要素は、要素が参照する時間リソースが割り当てられるＫ個の個々の送信の中の個々の送信を表す識別子を含む。
【００８１】
ペイロードフィールド５１０、５１１、５１２は、第１のフィールド５０１を送信したＡＰによって送信されるか（ダウンリンク通信）、またはＡＰにアタッチされたモバイル端末によって送信される（単一のフレーム内で１つのペイロードフィールドから別のペイロードフィールドへと変化し得るそれぞれの周波数リソースを通じたアップリンク通信）。
【００８２】
図６は、Ｋ個の個々の送信の範囲内で、上記ＡＰからデータを受信し（ダウンリンク通信）および／または上記ＡＰにデータを送信する（アップリンク通信）ために、ＡＰにアタッチされた各モバイル端末によって実行されるアルゴリズムを概略的に表す。図６のアルゴリズムは、図４のアルゴリズムと併せて実行される。図６のアルゴリズムが、図４のアルゴリズムを実行したＡＰ１１０にアタッチされたモバイル端末１２２によって実行されることを例示的に検討する。
【００８３】
ステップＳ６０１において、モバイル端末１２２は、ＡＰ１１０から、シグナリングを介して、ステップＳ４０３においてＡＰ１１０によって送信された検討されるフレーム期間のための周波数発生記述子Ｇを受信する。モバイル端末１２２によってＡＰ１１０から他のシグナリング情報を受信することができる。この情報は、潜在的に、モバイル端末１２２が、検討されるフレーム期間におけるいずれの時間リソースがＫ個の個々の送信の各々に関連付けられているかを判断することを可能にする。
【００８４】
任意選択のステップＳ６０２において、モバイル端末１２２は、検討されるフレーム期間に適用可能な、上述した送信割り当て記述子ＴＡ等の送信割り当て規則を表す情報を得る。すでに述べたように、送信割り当て規則は、例えば、製造または初期化中にあらかじめ定義することができる。一変形形態では、送信割り当て規則を表す情報は、連続フレーム期間にわたってさらに適用するために、ＡＰ１１０によって提供される。
【００８５】
ステップＳ６０３において、モバイル端末１２２は、周波数発生記述子Ｇから、および検討されるフレーム期間に適用可能な周波数リソースシーケンシング規則から、第２の周波数割り当て記述子Ｆ’を決定する。すでに述べたように、周波数リソースシーケンシング規則は、例えば、製造または初期化中にあらかじめ定義することができる。一変形形態では、周波数リソースシーケンシング規則を表す情報は、連続フレーム期間にわたってさらに適用するために、ＡＰ１１０によって提供される。
【００８６】
第２の周波数割り当て記述子Ｆ’は、検討されるフレーム期間のシーケンス内の時間リソースごとに、いずれの周波数リソースが割り当てられたかを記述する。したがって、フレーム期間あたりＮ個の時間リソースが存在することを考慮して、第２の周波数割り当て記述子Ｆ’は、Ｎ個の要素Ｆ’（ｋ）から構成される。ここで、ｋは、検討されるフレーム期間内でＮ個の時間リソースのうちのいずれが検討されるかを特定するために用いられる、１〜Ｎの値をとることができるインデックスである。第２の周波数割り当て記述子Ｆ’の各要素Ｆ’（ｋ）は、インデックスｋによって特定される時間リソースのために割り当てられる周波数リソースを特定する、Ｆ’（ｋ）．ｆ＿ＩＤによって表される情報を含む。上記情報Ｆ’（ｋ）．ｆ＿ＩＤは、Ｌ個の候補周波数リソースの中の１つの周波数リソースを特定するために用いられる、１〜Ｌの値をとることができるインデックスｊの値である。
【００８７】
したがって、ステップＳ６０３においてモバイル端末１２２によって決定される第２の周波数割り当て記述子Ｆ’は、ステップＳ４０１においてＡＰ１１０によって得られる第１の周波数割り当て記述子Ｆと異なる。ステップＳ４０１においてＡＰ１１０によって得られる第１の周波数割り当て記述子Ｆは、Ｋ個の個々の送信の各々について、検討されるフレーム期間において上記個々の送信のデータを送信するためにいずれの周波数リソースが割り当てられるかを記述する。第２の周波数割り当て記述子Ｆ’は、検討されるフレーム期間の時間リソースごとに、全体として検討されるＫ個の個々の送信の範囲内で、いずれの周波数リソースがデータを送信するために割り当てられるかを記述する。
【００８８】
特定の実施の形態において、モバイル端末１２２は、送信割り当て記述子ＴＡの形態の送信割り当て規則を表す情報にさらに従って、第２の周波数割り当て記述子Ｆ’を決定する。周波数発生記述子Ｇから、および検討されるフレーム期間に適用可能な周波数リソースシーケンシング規則から、および送信割り当て記述子ＴＡから、第２の周波数割り当て記述子Ｆ’を決定するための１つの実施の形態が、以下で、図８に関して詳述される。
【００８９】
ステップＳ６０４において、モバイル端末１２２は、ＡＰ１１０から、上記ＡＰ１１０にアタッチされたモバイル端末が、検討されるフレーム期間内のいずれの時間リソースがＫ個の個々の送信のうちの各々に関連付けられているかを判断することを可能にするインジケーションを得る。
【００９０】
図４に関して上述した第１の実施の形態では、検討されるフレーム期間がダウンリンク通信に専用であることを考慮して、モバイル端末１２２は、いずれの識別子が送信されたフレームの各ペイロードフィールド内に示されているかをチェックしなくてはならず、それによって、上記ペイロードフィールドに含まれるデータがＫ個の個々の送信のうちのいずれに対応するかを判断する。
【００９１】
図４に関して上述した第２の実施の形態では、Ｋ個の個々の送信が、所定の方式でダウンリンク通信とアップリンク通信との間のフレーム期間にわたって交互に行われることを考慮して、モバイル端末１２２は、送信されるフレームの各ダウンリンク通信ペイロードフィールドにおいて、いずれの識別子が示されているかをチェックし、それによって、上記ペイロードフィールドに含まれるデータがＫ個の個々の送信のうちのいずれに対応するかを判断しなくてはならず、モバイル端末１２２は、上記ダウンリンク通信ペイロードフィールドにおいて、上記個々の送信のアップリンク通信データを送信するために、後続のフレーム期間においていずれの時間リソースが用いられるかを特定しなくてはならない。
【００９２】
図４に関して上述した第３の実施の形態では、モバイル端末１２２は、検討されるフレーム期間についてシグナリング情報をチェックし、いずれの時間リソースが、Ｋ個の個々の送信の中のいずれの個々の送信に割り当てられるかを判断し、上記時間リソースがダウンリンク通信に用いられることが意図されているか、またはアップリンク通信に用いられることが意図されているかを判断しなくてはならない。
【００９３】
図４に関して上述した第４の実施の形態では、Ｋ個の個々の送信が、所定の方式でダウンリンク通信とアップリンク通信との間のフレーム期間にわたって交互に行われることを考慮して、モバイル端末１２２は、フレーム期間がダウンリンク通信に関するか、またはアップリンク通信に関するかを判断しなくてはならず、検討されるフレーム期間についてシグナリング情報をチェックし、いずれの時間リソースが、Ｋ個の個々の送信の中のいずれの個々の送信に割り当てられるかを判断しなくてはならない。
【００９４】
ステップＳ６０５において、モバイル端末１２２は、ステップＳ６０２においてシグナリングを介して受信した周波数発生記述子Ｇを適用するフレーム期間においてデータを受信する。そうするために、モバイル端末１２２は、ステップＳ６０３において決定された第２の周波数割り当て記述子Ｆ’およびステップＳ６０４において得られたインジケーションに依拠する。
【００９５】
時間リソース中のモバイル端末１２２に関する個々の送信のダウンリンク通信について、モバイル端末１２２は、上記モバイル端末１２２の無線受信インターフェースを構成し、それによって、上記無線受信インターフェースは、情報Ｆ’（ｋ）．ｆ＿ＩＤによって特定される周波数リソースを介して送信される信号を捕捉する。ここで、インデックスｋの値は、上記時間リソースを特定する。
【００９６】
モバイル端末１２２が、（上述した第１の実施の形態にように）フレームのデータペイロードフィールドを解釈実行しなければＫ個の個々の送信のいずれに上記データが対応するかがわからないダウンリンク通信の場合、モバイル端末１２２は、検討されるフレーム期間内のインデックスｋによって特定される時間リソースごとに、上記無線受信インターフェースが情報Ｆ’（ｋ）．ｆ＿ＩＤによって特定される周波数リソースを介して送信された信号を補足するように上記無線受信インターフェースを構成する。次に、モバイル端末１２２は、フレームの各捕捉されたペイロードフィールドにおいて示される、Ｋ個の個々の送信の中の関与する個々の送信を示すように意図された識別子を、上記モバイル端末１２２が関わる各個々の送信の識別子と比較することによって、Ｋ個の個々の送信のダウンリンク通信データをフィルタリングする。したがって、モバイル端末１２２は、上記モバイル端末１２２が関わる１つの個々の送信の識別子を含む各ペイロードフィールドに含まれるデータを維持および処理し、上記モバイル端末１２２が関わる１つの個々の送信の識別子を含まない各ペイロードフィールドに含まれるデータを除外する。
【００９７】
時間リソースの間のモバイル端末１２２に関する個々の送信のアップリンク通信の場合、モバイル端末１２２は、無線送信インターフェースが、情報Ｆ’（ｋ）．ｆ＿ＩＤによって特定される周波数リソースを介して信号を送信するように、上記モバイル端末１２２の上記無線送信インターフェースを構成する。ここで、インデックスｋの値は、上記時間リソースを特定する。
【００９８】
図７は、周波数発生記述子Ｇのコンテンツを決定するために無線通信ネットワークの少なくとも１つのＡＰによって実行されるアルゴリズムを概略的に表している。図７のアルゴリズムは、ステップＳ４０２の特定の実施の形態に関する詳細を提供する。図７のアルゴリズムがＡＰ１１０によって実行されることを例示的に検討する。
【００９９】
ステップＳ７０１において、ＡＰ１１０は、検討されるフレーム期間内のＫ個の個々の送信の各々について、いずれの周波数リソースが検討されるフレーム内のデータを送信するために割り当てられるかを記述する第１の周波数割り当て記述子Ｆ＝（Ｆ（１），．．．，Ｆ（Ｋ））を得る。
【０１００】
ステップＳ７０２において、ＡＰ１１０は、候補周波数リソースごとに、上記候補周波数リソースが第１の周波数割り当て記述子Ｆに何回現れるか、すなわち、上記候補周波数リソースが検討されるフレーム期間において何回用いられるか、を記述することを意図される周波数発生記述子Ｇ＝（Ｇ（１），．．．，Ｇ（Ｌ））を初期化する。ステップＳ７０２において、周波数発生記述子Ｇは、周波数発生記述子ＧのＬ個の要素Ｇ（ｊ）の各々の要素の情報Ｇ（ｊ）．Ｎｂが値「０」に等しくなるように初期化される。
【０１０１】
ステップＳ７０３において、ＡＰ１１０は、インデックスｉを値「１」に初期化する。
【０１０２】
ステップＳ７０４において、ＡＰ１１０は、インデックスｉの実際の値がＫ＋１未満であるか否かをチェックする。インデックスｉの実際の値がＫ＋１未満でないとき、これは、第１の周波数割り当て記述子Ｆ全体がパースされたことを意味し、アルゴリズムは、ステップＳ７０５において終了し、そうでない場合、ステップＳ７０６が実行される。
【０１０３】
ステップＳ７０６において、ＡＰ１１０は、周波数発生記述子Ｇの情報Ｇ（Ｆ（ｉ）．ｆ＿ＩＤ）．Ｎｂ、すなわち、Ｆ（ｉ）．ｆ＿ＩＤによって特定される周波数リソースに関連付けられた情報Ｇ（ｊ）．Ｎｂを１単位だけインクリメントする。
【０１０４】
ステップＳ７０７において、ＡＰ１１０は、周波数発生記述子Ｇの決定において、存在する場合、Ｋ個の個々の送信のうちの別の送信を検討するために、インデックスｉを１単位だけインクリメントする。
【０１０５】
図７のアルゴリズムが終了すると、これにより、ＡＰ１１０は、検討されるフレーム期間において各候補周波数リソースが何回用いられるかを認識する。
【０１０６】
図８は、ＡＰにアタッチされた各モバイル端末によって実行される、全体として検討されるＫ個の個々の送信のための検討されるフレーム内で用いられる時間および周波数リソースを周波数発生記述子から決定するためのアルゴリズムを概略的に表す。図８のアルゴリズムは、ステップＳ６０３の特定の実施の形態の詳細を提供する。図８のアルゴリズムが、ＡＰ１１０にアタッチされたモバイル端末１２２によって実行されることを例示的に検討する。
【０１０７】
ステップＳ８０１において、モバイル端末１２２は、任意選択で、検討されるフレーム期間に適用可能な、送信割り当て記述子ＴＡ等の、所定の送信割り当て規則を表す情報を得る。送信割り当て規則が特に定義されるときのデフォルトにより、時間リソースは、フレーム期間における登場順で検討される。
【０１０８】
ステップＳ８０２において、モバイル端末１２２は、ＡＰ１１０から、シグナリングを介して、検討されるフレーム期間のための周波数発生記述子Ｇ＝（Ｇ（１），．．．，Ｇ（Ｌ））を受信する。ステップＳ８０２は、ステップＳ６０２に対応する。
【０１０９】
ステップＳ８０３において、ＡＰ１１０は、検討されるフレーム期間の時間リソースごとに、候補周波数リソース間のいずれの周波数リソースが割り当てられるかを記述することを意図された第２の周波数割り当て記述子Ｆ’＝（Ｆ’（１），．．．，Ｆ’（Ｎ））を初期化する。ステップＳ８０３において、第２の周波数割り当て記述子Ｆ’が初期化され、それによって、第２の周波数割り当て記述子Ｆ’のＮ個の要素Ｆ’（ｋ）の各々の要素の情報Ｆ’（ｋ）．ｆ＿ＩＤが空になる。
【０１１０】
ステップＳ８０４において、モバイル端末１２２は、インデックスｋを値「１」に初期化する。モバイル端末１２２は、インデックスｊを値「１」にさらに初期化する。
【０１１１】
ステップＳ８０５において、モバイル端末１２２は、インデックスｊがＬ＋１未満の値を有するか否かをチェックする。第２の変数ｊがＬ＋１未満の値を有せず、周波数発生記述子Ｇの全体がパースされたことを意味するとき、アルゴリズムは、ステップＳ８０６において終了する。そうでない場合、ステップＳ８０７が実行される。
【０１１２】
ステップＳ８０７において、モバイル端末１２２は、図８のアルゴリズムにローカルのインデックスｍを値「１」に初期化する。インデックスｍは、周波数発生記述子Ｇの各要素Ｇ（ｊ）内の情報Ｇ（ｊ）．Ｎｂに示される発生量をパースするのに用いられる。
【０１１３】
ステップＳ８０８において、モバイル端末１２２は、インデックスｊの実際の値に従って、インデックスｍがＧ（ｊ）．Ｎｂ＋１未満の値を有するか否かをチェックする。インデックスｍがＧ（ｊ）．Ｎｂ＋１未満の値を有しないとき、ステップＳ８０９が実行される。これは、第２の変数ｊの現在の値によって特定される周波数リソースの全ての発生が考慮に入れられたことを意味する。そうでない場合、ステップＳ８１０が実行される。
【０１１４】
ステップＳ８０９において、モバイル端末１２２は、存在する場合、周波数発生記述子Ｇの後続の要素を検討するために、すなわち、別の候補周波数リソースを検討するために、インデックスｊを１単位だけインクリメントする。
【０１１５】
ステップＳ８１０において、モバイル端末１２２は、インデックスｋの実際の値に関係する時間リソースのための周波数リソースが、インデックスｊの値が参照する周波数リソースであるとみなす。インデックスｋの実際の値に関係する上記時間リソースは、送信割り当て規則が特に定義されるとき、すなわち、時間リソースが、フレーム期間における登場順で検討されるときに、インデックスｋの上記実際の値によって特定される。インデックスｋの実際の値に関係する上記時間リソースは、送信割り当て記述子ＴＡが用いられるとき、情報ＴＡ（ｋ）．ｔ＿ＩＤによって特定される。
【０１１６】
ステップＳ８１１において、モバイル端末１２２は、ステップＳ８０９に従って第２の周波数割り当て記述子Ｆ’を更新する。送信割り当て規則が特に定義されていないとき、モバイル端末１２２は、インデックスｊの実際の値を用いて第２の周波数割り当て記述子Ｆ’の要素Ｆ’（ｋ）の情報Ｆ’（ｋ）．ｆ＿ＩＤを更新する。送信割り当て記述子ＴＡが用いられるとき、モバイル端末１２２は、インデックスｊの実際の値を用いて第２の周波数割り当て記述子Ｆ’の要素Ｆ’（ＴＡ（ｋ）．ｔ＿ＩＤ）の情報Ｆ’（ＴＡ（ｋ）．ｔ＿ＩＤ）．ｆ＿ＩＤを更新する。
【０１１７】
ステップＳ８１２において、モバイル端末１２２は、第２の周波数割り当て記述子Ｆ’の決定において、存在する場合、検討されるフレーム期間内の別の時間リソースを検討するために、インデックスｋを１単位だけインクリメントする。モバイル端末１２２は、存在する場合、インデックスｊによって特定される周波数の別の発生を考慮に入れるために、インデックスｍを１単位だけさらにインクリメントする。
【０１１８】
図８のアルゴリズムが終了すると、これにより、モバイル端末１２２は、全体として検討されるＫ個の個々の送信のための検討されるフレーム期間にわたって用いられる周波数リソースのシーケンスを認識する。
【図１】
0006293308.tif 000002
【図２】
0006293308.tif 000003
【図３】
0006293308.tif 000004
【図４】
0006293308.tif 000005
【図５】
0006293308.tif 000006
【図６】
0006293308.tif 000007
【図７】
0006293308.tif 000008
【図８】
0006293308.tif 000009